(57)【要約】【課題】  デジタルカメラなどの電子撮像装置により撮像した画像を、外出先などにおいて手軽に印刷することを可能とする感光性記録媒体モジュールを提供すること。【解決手段】  複数の感光フィルム３と、複数の感光フィルム３を収容するケース１と、を備えた感光性フィルムモジュールＭであって、ケース１の内部には、複数の感光フィルム３を露光するためのプリントヘッド２と、複数の感光フィルム３をケース１外に排出するための一対のプラテンローラ７ａ，７ｂとが付設されている。【選択図】  図１
2005324432.tif 000002
【特許請求の範囲】
【請求項１】
感光層を有する複数の感光性記録媒体と、
上記複数の感光性記録媒体を収容する筐体と、
を備えた感光性記録媒体モジュールであって、
上記筐体の内部には、上記複数の感光性記録媒体を露光するためのプリントヘッドと、
上記複数の感光性記録媒体を上記筐体外に排出するための排出手段とが付設されていることを特徴とする、感光性記録媒体モジュール。
【請求項２】
上記プリントヘッドは、上記感光性記録媒体と接触した状態で露光する、請求項１に記載の感光性記録媒体モジュール。
【請求項３】
上記プリントヘッドは、副走査方向において固定されており、
上記感光性記録媒体を排出させながら、上記プリントヘッドにより上記感光性記録媒体の露光を行うことが可能に構成されている、請求項１または２に記載の感光性記録媒体モジュール。
【請求項４】
上記プリントヘッドは、基板と、上記基板において主走査方向に配列された複数の発光素子とを具備する、請求項１ないし３のいずれかに記載の感光性記録媒体モジュール。
【請求項５】
上記複数の発光素子と上記感光層との距離は、上記主走査方向に配列された複数の発光素子のうち隣り合うものどうしの中心間距離と同程度もしくはそれ以下である、請求項１ないし４のいずれかに記載の感光性記録媒体モジュール。
【請求項６】
上記複数の発光素子は、上記基板のうち上記感光性記録媒体と対向する面に形成されている、請求項４または５に記載の感光性記録媒体モジュール。
【請求項７】
上記基板の副走査方向端縁部には、上記副走査方向および上記基板の厚さ方向のそれぞれに対して傾斜する傾斜面が形成され、かつ、上記発光素子は、この傾斜面に形成されており、
上記基板は、上記傾斜面が上記感光性記録媒体に対向するように支持されている、請求項６に記載の感光性記録媒体モジュール。
【請求項８】
上記基板のうち上記感光性記録媒体と対向する面には、主走査方向に延びる凸部が形成されており、上記複数の発光素子は、この凸部に形成されている、請求項６に記載の感光性記録媒体モジュール。
【請求項９】
上記基板は、透明基板であり、上記発光素子は、上記透明基板のうち上記感光性記録媒体と対向する面と反対の面に形成されている、請求項４または５に記載の感光性記録媒体モジュール。
【請求項１０】
上記透明基板のうち上記感光性記録媒体と対向する面と反対の面には、上記主走査方向に延びる凹部が形成されており、上記発光素子は、この凹部に形成されている、請求項９に記載の感光性記録媒体モジュール。
【請求項１１】
上記透明基板の上記感光性記録媒体と対向する面のうち上記複数の発光素子の反対側に相当する領域には、上記主走査方向に延びる凸部が形成されている、請求項９または１０に記載の感光性記録媒体モジュール。
【請求項１２】
上記凸部は、上記各発光素子に対応するように形成された複数のレンズ部により構成されている、請求項１１に記載の感光性記録媒体モジュール。
【請求項１３】
上記プリントヘッドのうち上記複数の発光素子が形成された部分を、上記感光性記録媒体へと向かわせるための付勢手段を備えている、請求項５ないし１２のいずれかに記載の感光性記録媒体モジュール。
【請求項１４】
上記複数の発光素子は、有機ＥＬ発光素子である、請求項５ないし１３のいずれかに記載の感光性記録媒体モジュール。
【請求項１５】
上記複数の発光素子は、無機ＥＬ発光素子である、請求項５ないし１３のいずれかに記載の感光性記録媒体モジュール。
【請求項１６】
上記複数の感光性記録媒体を上記プリントヘッドへと向かわせるための付勢手段を備えている、請求項１ないし１５のいずれかに記載の感光性記録媒体モジュール。
【請求項１７】
上記排出手段は、上記感光性記録媒体を挟圧し、かつ排出することが可能な１対の排出ローラを具備している、請求項１ないし１６のいずれかに記載の感光性記録媒体モジュール。
【請求項１８】
上記一対の排出ローラの一方を他方に押し付けるための付勢手段を備えている、請求項１７に記載の感光性記録媒体モジュール。
【請求項１９】
上記排出手段による上記感光性記録媒体の排出動作は、手動により行うことが可能に構成されている、請求項１７または１８に記載の感光性記録媒体モジュール。
【請求項２０】
上記排出手段は、操作用部材をさらに備えており、
上記操作用部材が一定の操作をなされることにより上記一対の排出ローラが上記感光性記録媒体を搬送可能に回転する構成とされている、請求項１９に記載の感光性記録媒体モジュール。
【請求項２１】
上記操作用部材には、ラックが形成され、かつこのラックの形成方向に移動可能な操作バーを備えており、上記一対の排出ローラの少なくとも一方は、上記ラックとかみ合うピニオンギヤに連結され、上記操作バーが移動操作されることにより軸転可能である、請求項２０に記載の感光性記録媒体モジュール。
【請求項２２】
上記感光性記録媒体は、上記一対のローラの一側方に収納されており、
上記排出手段は、上記操作用部材の操作によって一定方向に移動し、
かつこの移動時には上記感光性記録媒体を上記一対のローラ間に送り込むように上記感光性記録媒体の搬送動作を行う可動部材をさらに備えている、請求項１７ないし２１のいずれかに記載の感光性記録媒体モジュール。
【請求項２３】
上記一対の排出ローラと上記プリントヘッドとの間において、上記感光性記録媒体をその厚さ方向に狭圧するための狭圧手段を備えている、請求項１７ないし２２のいずれかに記載の感光性記録媒体モジュール。
【請求項２４】
上記狭圧手段は、上記感光性記録媒体用の付勢手段の一部と、上記感光性記録媒体を挟んでこの付勢手段と反対側に配置された主走査方向に延びる圧接部材とにより構成されている、請求項２３に記載の感光性記録媒体モジュール。
【請求項２５】
上記圧接部材は、主走査方向に延びるローラを具備している、請求項２４に記載の感光性記録媒体モジュール。
【請求項２６】
上記排出ローラと、上記プリントヘッドとの間には、上記感光記録部材を通過させることが可能とされた遮光手段が設置されている、請求項１７ないし２５のいずれかに記載の感光性記録媒体モジュール。
【請求項２７】
上記遮光手段は、互いの一部ずつが重なり合うように取り付けられた複数の樹脂製またはゴム製のシートである、請求項２６に記載の感光性記録媒体モジュール。
【請求項２８】
上記感光性記録媒体の排出方向における位置を検出するための検出手段を備えており、
上記プリントヘッドによる露光は、上記検出手段から出力される上記感光性記録媒体の位置情報を利用してなされる、請求項１ないし２７のいずれかに記載の感光性記録媒体モジュール。
【請求項２９】
上記検出手段は、ロータリエンコーダである、請求項２８に記載の感光性記録媒体モジュール。
【請求項３０】
上記プリントヘッドに電源供給するための一次電池を備えている、請求項１ないし２９のいずれかに記載の感光性記録媒体モジュール。
【請求項３１】
上記プリントヘッドに電源供給するための二次電池と発電手段とを備えている、請求項１ないし２９のいずれかに記載の感光性記録媒体モジュール。
【請求項３２】
上記二次電池または上記発電手段からの電気エネルギーを蓄えるためのコンデンサを備えている、請求項３１に記載の感光性記録媒体モジュール。
【請求項３３】
画像データを記録するための記憶手段を備えている、請求項１ないし３２のいずれかに記載の感光性記録媒体モジュール。
【請求項３４】
画像データを入出力するための入出力手段を備えている、請求項１ないし３３のいずれかに記載の感光性記録媒体モジュール。
【請求項３５】
上記入出力手段は、有線通信プロトコルにしたがって画像データを送受信可能とする有線通信端子を具備している、請求項３４に記載の感光性記録媒体モジュール。
【請求項３６】
上記入出力手段は、無線通信モジュールを具備している、請求項３４に記載の感光性記録媒体モジュール。
【請求項３７】
上記無線通信モジュールは、赤外線発光部と赤外線受光部とを具備する赤外線双方向通信モジュールである、請求項３６に記載の感光性記録媒体モジュール。
【発明の詳細な説明】
【技術分野】
【０００１】
本発明は、プリント機能を備えた感光性記録媒体モジュールに関する。
【背景技術】
【０００２】
デジタルカメラなどにより撮影した画像は、そのデジタルデータをインクジェット方式や熱転写方式により、普通紙に対して印刷することができる。一方、感光方式により、デジタルデータとしての画像を感光フィルムに対して記録することも可能である。
【０００３】
図１８および図１９は、感光方式によるプリンタの一例を示している。このプリンタＸは、感光フィルム９０３ａが収納された感光フィルムモジュール９０３が搭載される構成となっている。このプリンタＸによる画像の印刷は、プリントヘッド９０２を副走査方向に走査させながら感光フィルム９０３ａの露光を行った後に、この感光フィルム９０３ａを一対の排出ローラ９０７ａ，９０７ｂにより狭圧して排出しつつ、感光フィルム９０３ａの一端寄りに封入された現像処理液を感光面に押し広げるようにして現像することにより行われる。
【０００４】
しかしながら、近年、デジタルカメラの小型化がますます進められている。また、携帯電話の多機能化の一環として、その携帯性を損なうことなくデジタルカメラの機能を備えることが一般的となりつつある。これらの携帯性に優れた電子撮像機器の普及により、たとえば、家族連れが行楽地で撮影した画像をその場で印刷したいといった要望が増えている。このような場合、従来技術によるプリンタＸは、携帯性に優れた電子撮像機器と比較して大型であるために、あらかじめ携行しておくことは不便であり、上記要望に対して十分には応えられなかった。
【０００５】
【特許文献１】特開２００３−２９１４１６号公報（図１、図２）
【発明の開示】
【発明が解決しようとする課題】
【０００６】
本発明は、上記した事情のもとで考え出されたものであって、デジタルカメラなどの電子撮像機器により撮像した画像を、外出先などにおいて手軽に印刷することを可能とする感光性記録媒体モジュールを提供することをその課題としている。
【課題を解決するための手段】
【０００７】
上記課題を解決するため、本発明では、次の技術的手段を講じている。
【０００８】
本発明によって提供される感光性記録媒体モジュールは、複数の感光性記録媒体と、上記複数の感光性記録媒体を収容する筐体と、を備えた感光性記録媒体モジュールであって、上記筐体の内部には、上記複数の感光性記録媒体を露光するためのプリントヘッドと、上記複数の感光性記録媒体を上記筐体外に排出するための排出手段とが付設されていることを特徴としている。
【０００９】
このような構成によれば、本発明にかかる感光性記録媒体モジュールを用意すれば、感光性記録媒体に画像を印刷することができる。したがって、従来技術による印刷のように、プリンタ本体と感光性記録モジュールとを用意する必要がなく、便利である。
【００１０】
本発明の好ましい実施の形態においては、上記プリントヘッドは、上記感光性記録媒体と接触した状態で露光する。このような構成によれば、発光素子と感光記録媒体のたとえば感光層との距離を小さくすることが可能である。このため、発光素子から発せられる光の拡散を抑制して、この光を感光層に適切に照射させることができる。したがって、たとえば発光素子から発せられた光を集光するためのレンズアレイなどを不要とすることが可能であり、この感光性記録媒体モジュールの薄型化および小型化に有利である。
【００１１】
本発明の好ましい実施の形態においては、上記プリントヘッドは、副走査方向において固定されており、上記感光性記録媒体を排出させながら、上記プリントヘッドにより上記感光性記録媒体の露光を行うことが可能に構成されている。このような構成によれば、上記プリントヘッドを走査させるための手段が不要であり、この感光性記録媒体モジュールの薄型化、小型化、および軽量化に有利である。また、たとえばプリントヘッドをモータにより走査させる構成と比較して、省電力化を図ることができる。
【００１２】
本発明の好ましい実施の形態においては、上記プリントヘッドは、基板と、上記基板において主走査方向に配列された複数の発光素子とを具備する。このような構成によれば、主走査方向の画像を列ごとに比較的短時間で露光することが可能であり、この感光性記録媒体モジュールにおける印刷時間の短縮化を図るのに適している。
【００１３】
本発明の好ましい実施の形態においては、上記複数の発光素子と上記感光層との距離は、上記主走査方向に配列された複数の発光素子のうち隣り合うものどうしの中心間距離と同程度もしくはそれ以下である。このような構成によれば、上記各発光素子から発せられる光の拡散を抑制することが可能であり、鮮明な画像を露光することができる。
【００１４】
本発明の好ましい実施の形態においては、上記複数の発光素子は、上記基板のうち上記感光性記録媒体と対向する面に形成されている。このような構成によれば、発光素子と感光性記録媒体との間には基板が介在しない構成となるために、基板を薄型とすることなく発光素子と感光性記録媒体との距離を小さくすることができる。
【００１５】
本発明の好ましい実施の形態においては、上記基板の副走査方向端縁部には、上記副走査方向および上記基板の厚さ方向のそれぞれに対して傾斜する傾斜面が形成され、かつ、上記発光素子は、この傾斜面に形成されており、上記基板は、上記傾斜面が上記感光性記録媒体に対向するように支持されている。このような構成によれば、発光素子を感光性記録媒体に対して、近づけまたは当接させるのに好ましい。また、たとえば発光素子を駆動するための駆動ＩＣなどの電子部品が基板のうち発光素子と同じ側の面に設けられた場合には、これらの駆動ＩＣを斜面から離間した位置に設けることにより、駆動ＩＣなどの電子部品が感光性記録媒体と干渉することを回避することができる。
【００１６】
本発明の好ましい実施の形態においては、上記基板のうち上記感光性記録媒体と対向する面には、主走査方向に延びる凸部が形成されており、上記複数の発光素子は、この凸部に形成されている。このような構成によっても、発光素子を感光記録媒体に対して、近づけまたは当接させるのに適している。また、凸部を、基板に実装される電子部品などよりも高さの大きいものとすれば、電子部品などが感光性記録媒体と干渉することを回避できる。
【００１７】
本発明の好ましい実施の形態においては、上記基板は、透明基板であり、上記発光素子は、上記透明基板のうち上記感光性記録媒体と対向する面と反対の面に形成されている。このような構成によれば、発光素子と透明基板との間には基板が介在するために、発光素子と感光性記録媒体との摩擦を防止することが可能であり、発光素子の保護に有利である。また、たとえば発光素子を駆動するための駆動ＩＣなどの電子部品を、基板のうち発光素子と同じ側の面に設けることにより、これらの電子部品と感光性記録媒体との干渉を適切に回避することができる。
【００１８】
本発明の好ましい実施の形態においては、上記透明基板のうち上記感光性記録媒体と対向する面と反対の面には、上記主走査方向に延びる凹部が形成されており、上記発光素子は、この凹部に形成されている。このような構成によれば、基板全体の強度低下を回避しつつ、基板のうち発光素子が設けられた部分の薄型化を図ることができる。したがって、発光素子と感光性記録媒体との距離を小さくすることが可能であり、発光素子からの光を感光性記録媒体に適切に照射させて、鮮明な画像を印刷するのに適している。
【００１９】
本発明の好ましい実施の形態においては、上記透明基板の上記感光性記録媒体と対向する面のうち上記複数の発光素子の反対側に相当する領域には、上記主走査方向に延びる凸部が形成されている。このような構成によれば、基板のうち凸部を選択的に感光性記録媒体に当接させることが可能であり、基板のうち凸部以外の部分が感光性記録媒体と不当に接触することを回避することができる。とくに、基板の表裏面に凸部と凹部とが対応するように形成された構成によれば、この部分を薄型とすることが可能であり発光素子からの光の拡散を抑制するのに適している。また、基板の平板部と凸部および凹部との間の部分は、基板の厚さ方向において比較的弾性変形しやすい部分とすることが可能であり、発光素子を感光性記録媒体に当接させた際に、発光素子が過大な力を受けることを防止することができる。
【００２０】
本発明の好ましい実施の形態においては、上記凸部は、上記各発光素子に対応するように形成された複数のレンズ部により構成されている。このような構成によれば、基板をそれほど薄型としない場合であっても、発光素子からの光を感光性記録媒体上に適切に集光することが可能であり、鮮明な画像を印刷するのに適している。
【００２１】
本発明の好ましい実施の形態においては、上記プリントヘッドのうち上記複数の発光素子が形成された部分を、上記感光性記録媒体へと向かわせるための付勢手段を備えている。このような構成によれば、感光性記録媒体が副走査方向に搬送される際においても、発光素子を感光性記録媒体に当接させておくことが可能であり、印刷品質が不当に低下することを回避することができる。
【００２２】
本発明の好ましい実施の形態においては、上記複数の発光素子は、有機ＥＬ発光素子である。このような構成によれば、プリントヘッドの薄型化に好適である。また、比較的高速な印刷を小さい電力消費で行うことができる。
【００２３】
本発明の好ましい実施の形態においては、上記複数の発光素子は、無機ＥＬ発光素子である。このような構成によっても、プリントヘッドの薄型化を図ることができる。
【００２４】
本発明の好ましい実施の形態においては、上記複数の感光性記録媒体を上記プリントヘッドへと向かわせるための付勢手段を備えている。このような構成によれば、複数の感光性記録媒体を順次印刷位置へと移動させることが可能であり、複数の感光性記録媒体の印刷を連続的に行うのに適している。
【００２５】
本発明の好ましい実施の形態においては、上記排出手段は、上記感光性記録媒体を挟圧し、かつ排出することが可能な１対の排出ローラを具備している。このような構成によれば、感光性記録媒体が排出方向に対して不当に傾くことなどを回避して、感光性記録媒体を安定して排出することができる。
【００２６】
本発明の好ましい実施の形態においては、上記一対の排出ローラの一方を他方に押し付けるための付勢手段を備えている。このような構成によれは、感光性記録媒体が排出方向において厚さが不均一である場合であっても、排出ローラを感光性記録媒体に押圧させて、感光性記録媒体を適切に搬出することができる。
【００２７】
本発明の好ましい実施の形態においては、上記排出手段による上記感光性記録媒体の排出動作は、手動により行うことが可能に構成されている。
【００２８】
本発明の好ましい実施の形態においては、上記排出手段は、操作用部材をさらに備えており、上記操作用部材が一定の操作をなされることにより上記一対の排出ローラが上記感光性記録媒体を搬送可能に回転する構成とされている。
【００２９】
本発明の好ましい実施の形態においては、上記操作用部材には、ラックが形成され、かつこのラックの形成方向に移動可能な操作バーを備えており、上記一対の排出ローラの少なくとも一方は、上記ラックとかみ合うピニオンギヤに連結され、上記操作バーが移動操作されることにより軸転可能である。
【００３０】
このような構成によれば、感光性記録媒体を排出するために、たとえばモータなどの電力による駆動源を設ける必要が無い。したがって、この感光性記録媒体モジュールの省電力化および小型化に有利である。また、操作バー、ラック、およびピニオンギヤを備えた構成によれば、利用者の走査力を排出ローラに適切に伝達することができる。
【００３１】
本発明の好ましい実施の形態においては、上記感光性記録媒体は、上記一対のローラの一側方に収納されており、上記排出手段は、上記操作用部材の操作によって一定方向に移動し、かつこの移動時には上記感光性記録媒体を上記一対のローラ間に送り込むように上記感光性記録媒体の搬送動作を行う可動部材をさらに備えている。このような構成によれば、利用者は操作用部材を操作するだけで、感光性記録媒体を排出ローラへと挿入し、これに引き続いて排出ローラにより感光性記録媒体を排出することが可能であるため、便利である。
【００３２】
本発明の好ましい実施の形態においては、上記一対の排出ローラと上記プリントヘッドとの間において、上記感光性記録媒体をその厚さ方向に狭圧するための狭圧手段を備えている。このような構成によれば、感光性記録媒体の位置をその厚さ方向において安定化させることが可能であり、プリントヘッドを感光性記録媒体に適切に近づけるまたは当接させるのに適している。とくに、感光性記録媒体が、たとえばその排出方向先端部に現像処理液が封入された現像処理液パックを備える構成においては、排出ローラにより押し広げられた現像処理液が、プリントヘッドにより露光されている部分に不当に達することを防止することが可能である。
【００３３】
本発明の好ましい実施の形態においては、上記狭圧手段は、上記感光性記録媒体用の付勢手段の一部と、上記感光性記録媒体を挟んでこの付勢手段と反対側に配置された主走査方向に延びる圧接部材とにより構成されている。
【００３４】
本発明の好ましい実施の形態においては、上記圧接部材は、主走査方向に延びるローラを具備している。このような構成によれば、感光性記録媒体の排出動作を不当に妨げることなく、感光性記録媒体を狭圧して、感光性記録媒体の位置の安定化、および現像処理液の不当な拡散の防止を図ることができる。
【００３５】
本発明の好ましい実施の形態においては、上記排出ローラと、上記プリントヘッドとの間には、上記感光記録部材を通過させることが可能とされた遮光手段が設置されている。
【００３６】
本発明の好ましい実施の形態においては、上記遮光手段は、互いの一部ずつが重なり合うように取り付けられた複数の樹脂製またはゴム製のシートである。このような構成によれば、感光性記録媒体を排出する際に、たとえばプリントヘッドの周辺などに外部からの光が不当に進入することを回避可能であり、印刷品質が低下することを防止することができる。
【００３７】
本発明の好ましい実施の形態においては、上記感光性記録媒体の排出方向における位置を検出するための検出手段を備えており、上記プリントヘッドによる露光は、上記検出手段から出力される上記感光性記録媒体の位置情報を利用してなされる。
【００３８】
本発明の好ましい実施の形態においては、上記検出手段は、ロータリエンコーダである。このような構成によれば、感光性記録媒体の排出速度が変動する場合であっても、感光性記録媒体の所望の位置に適切に露光することが可能である。
【００３９】
本発明の好ましい実施の形態においては、上記プリントヘッドに電源供給するための一次電池を備えている。このような構成によれば、外部から電力供給を受けるための手段が不要であり、この感光性記録媒体モジュールによる印刷を様々な場所において行うことができる。
【００４０】
本発明の好ましい実施の形態においては、上記プリントヘッドに電源供給するための二次電池と発電手段とを備えている。
【００４１】
本発明の好ましい実施の形態においては、上記二次電池または上記発電手段からの電気エネルギーを蓄えるためのコンデンサを備えている。このような構成によれば、二次電池または発電手段からの電気エネルギーが変動する場合であっても、コンデンサから電気エネルギーを補って、プリントヘッドなどを安定して駆動させることができる。
【００４２】
本発明の好ましい実施の形態においては、画像データを記録するための記憶手段を備えている。
【００４３】
本発明の好ましい実施の形態においては、画像データを入出力するための入出力手段を備えている。
【００４４】
このような構成によれば、デジタルカメラまたは撮像機能付きの携帯電話機などの電子撮像機器から画像の電子データを入力して、記憶手段に記憶させ、この画像を印刷することができる。
【００４５】
本発明の好ましい実施の形態においては、上記入出力手段は、有線通信プロトコルにしたがって画像データを送受信可能とする有線通信端子を具備している。
【００４６】
本発明の好ましい実施の形態においては、上記入出力手段は、無線通信モジュールを具備している。
【００４７】
本発明の好ましい実施の形態においては、上記無線通信モジュールは、赤外線発光部と赤外線受光部とを具備する赤外線双方向通信モジュールである。
【００４８】
本発明のその他の特徴および利点は、添付図面を参照して以下に行う詳細な説明によって、より明らかとなろう。
【発明を実施するための最良の形態】
【００４９】
以下、本発明の好ましい実施の形態につき、図面を参照して具体的に説明する。
【００５０】
図１〜図３は、本発明に係る感光フィルムモジュールの一例を示している。
【００５１】
この感光フィルムモジュールＭは、複数の感光フィルム３と、プリントヘッド２と、一対のプラテンローラ７ａ，７ｂと、これらを収納するケース１とを備えており、後述するように、ケース１に格納された感光フィルム３に画像の露光および現像を行うことが可能な構成とされている。
【００５２】
ケース１は、図１に良く表れているように、扁平な直方体形状であり、その一側面には、露光された感光フィルムを排出するための感光フィルム排出口１２が形成されている。
【００５３】
感光フィルム３は、図４に示されるように、基材３１上に、感光層３２および透明カバー３３を積層した構造を有している。感光フィルム３の一端部には、現像処理液３４ａが封入された現像処理液パック３４が設けられている。基材３１、感光層３２、および透明カバー３３の周縁部は、現像処理液パック３４を包み込んだ状態で、接着シート３５により覆われている。なお、この感光フィルム３は、本発明でいう感光性記録媒体の一例に相当する。
【００５４】
複数の感光フィルム３は、図２に良く表れているように、透明カバー３３が上向きとなる姿勢で積層されている。これらの感光フィルム３は、その四方を中板部１１により囲われている。これらの感光フィルム３の下方には、断面弓形状の板ばね６が設けられている。この板ばね６の両端部６ａ，６ｂは、最下位の感光フィルム３に押し当てられており、複数の感光フィルム３は、上方に向けて付勢されている。このことにより、最上位にある感光フィルム３が、一対のローラ４ａ，４ｂに押し当てられている。この板ばね６は、本発明でいう感光性記録媒体をプリントヘッドへと向かわせるための付勢手段の一例に相当する。ローラ４ａは、感光フィルム３のうち現像処理液パック３４から主走査方向におけるＢ方向に離間した位置に当接されている。このローラ４ａと、板ばね６の一端部６ａとは、本発明でいう狭圧手段の一例に相当し、後述するように、感光フィルム３を排出する過程において、現像処理液３４ａが感光層３２のうち露光がなされていない領域に不当に押し広げられることを防止するためのものである。
【００５５】
プリントヘッド２は、図５および図６に示されるように、感光フィルム３の感光層３２を露光するためものであり、その一部が感光フィルム３の透明カバー３３に当接させられながら露光を行う構成とされている。このプリントヘッド２は、基板２１とこの基板２１上に形成された複数の有機ＥＬ発光素子２２とを備えている。基板２１のうちＦ方向を向いて感光フィルム３と対向している面の一端縁には、主走査方向であるＣＤ方向に延びる傾斜面２１ａが形成されている。複数の有機ＥＬ発光素子２２は、この斜面２１ａに配列されている。保護膜２６は、複数の有機ＥＬ発光素子２２を保護するためのものであり、これらを覆うように形成されている。有機ＥＬ発光素子２２の厚さは、たとえば約５００オングストローム、保護膜２６の厚さは、たとえば約１，０００オングストロームとされる。なお、図６は、図２および図５とは上下方向が反対に表されており、保護膜２６は、省略されている。プリントヘッド２は、図２に良く表れているように、傾斜面２１ａが感光フィルム３の透明カバー３３と正対するように、その全体が感光フィルム３に対して傾いた状態で支持されている。また、プリントヘッド２は、傾斜面２１ａと反対側の端部付近が固定される一方、傾斜面２１ａが形成された端部付近がばね２７により下方へと付勢されている。このことにより、傾斜面２１ａは感光フィルム３の透明カバー３３に当接させられている。なお、傾斜面２１ａと反対側の端部付近は、固定される代わりに、プリントヘッド２全体がこの部分を中心として揺動可能となるように支持された構成であっても良い。
【００５６】
複数の有機ＥＬ発光素子２２は、図６に良く表れているように、副走査方向に並ぶ赤色光発光部２２Ｒ、緑色光発光部２２Ｇ、および青色光発光部２２Ｂを有している。これらの発光部２２Ｒ，２２Ｇ，２２Ｂは、複数の駆動ＩＣ２８などを介して個別に発光させられるように構成されている。複数の有機ＥＬ発光素子２２は、図５に良く表れているように、基板２１に、複数のカソード２３Ｒ，２３Ｇ，２３Ｂ、複数の有機層２４Ｒ，２４Ｇ，２４Ｂおよび複数のアノード（透明電極）２５、を積層することにより形成されている。なお、各発光部２２Ｒ，２２Ｇ，２２Ｂは、図６に良く表れているように、アノード２５とカソード２３Ｒ，２３Ｇ，２３Ｂが交差する領域に設定されている。
【００５７】
図５に良く表れているように、複数の有機ＥＬ発光素子２２と感光フィルム３の感光層３２との距離ｄは、有機ＥＬ発光素子２２Ｒ，２２Ｇ，２２Ｂのうち副操作方向において隣り合うどうしの中心間距離ｐと等しいものとされている。なお、複数の有機ＥＬ発光素子２２のうち主走査方向において隣り合うものどうしの中心間距離と距離ｄとが等しい構成としても良い。
【００５８】
図７〜図９に示すように、操作用部材５と、一対のプラテンローラ７ａ，７ｂと、スライダ８とは、感光フィルム３を排出するためのものであって、本発明でいう排出手段の一例を構成するものである。本実施形態においては、上記排出手段は、手動により感光フィルム３の排出動作を行うように構成されている。
【００５９】
操作用部材５は、図７に良く表れているように、棒状の操作バー５１と、この操作バー５１の先端に設けられた把持部５２とを有している。操作バー５１は、全体として略直方体状を呈しており、その下面５１ａには、感光フィルム３の排出方向であるＡＢ方向に延びるラック５１１が形成されている。この操作バー５１は、この感光フィルムモジュールＭの利用者が操作用部材５を操作する前の初期状態において、ケース１内に配置されている。操作バー５１は、図８に良く表れているように、その側面がスライダ８の後述する側板８３に対面した状態でケース１に形成したガイド溝１３内に配置されている。操作バー５１は、このガイド溝１３に沿って移動可能とされている。
【００６０】
把持部５２は、感光フィルムモジュールＭの利用者が操作用部材５を操作する際に把持する部分であって、図７に良く表れているように、たとえば、板状体に対して、感光フィルムモジュールＭの利用者の指が挿入しうる貫通孔５２ａを設けた構成とされている。この把持部５２は、図１および図３に良く表れているように、ケース１の外部に配置され、外観上、ケース１から大きく突出しないように、図３および図７に示すように、回動可能な構造となっている。
【００６１】
一対のプラテンローラ７ａ，７ｂは、感光フィルム３を狭圧しつつ、ケース１外に排出するためのものであり、ケース１における排出口１２の近傍に備えられており、その軸がＣＤ方向に延びるように支持されている。各プラテンローラ７ａ，７ｂは、互いにかみ合う一対の歯車（図示略）によって一端部どうしが駆動連結されており、互いに逆方向に回転可能とされている。この一対のローラ７ａ，７ｂは、操作バー５１の移動にともなうラック５１１の変位と連動して回転するピニオンギヤ７２を介して回転するように構成されている。本実施形態では、ピニオンギヤ７２は、プラテンローラ７ａの一端部に設けられている。プラテンローラ７ｂは、ばね７５によりプラテンローラ７ａに対して押し当てられており、後述するように、感光フィルム３を排出する際に、現像処理液パック３４を含む部分など肉厚となっている部分を十分な力で狭圧しつつ適切に排出することが可能とされている。
【００６２】
スライダ８は、本願発明でいう可動部材の一例であり、操作用部材５の操作に連動し排出方向であるＡＢ方向にスライド移動可能とされており、図１０（ｂ）に示すように、感光フィルム３を移動させてその端部を一対のプラテンローラ７ａ，７ｂ間に挿入できるようになっている。このスライダ８は、図９に良く表れているように、矩形状の上板８１における互いに対向する端縁に作用板８２および側板８３を立設させた構造とされている。作用板８２は、感光フィルム３の端縁に当接しうるフック８２１を有しており、スライダ８のスライド移動の際には、このフック８２１が感光フィルム３を押圧することによりこれを移動させる。また、この作用板８２には、スライダ８のスライド移動の方向に対して傾斜するとともにその端部がフック８２１内に通じる傾斜面８２２が設けられており、この傾斜面８２２に沿って感光フィルム３が相対的に移動することにより、感光フィルム３の端縁がフック８２１に当接し易いようになっている。
【００６３】
このスライダ８は、図３および図８に良く表れているように、ケース１内において、中板部１１の一部を作用板８２と側板８３との間で挟むようにして設置されている。また、側板８３は、中板部１１とケース１の側壁部１ｂとにより挟まれている。これらにより、スライダ８は、排出方向であるＡＢ方向に安定してスライド可能に配置されている。
【００６４】
スライダ８は、感光フィルム３の端部を一対のプラテンローラ７ａ，７ｂ間に挿入させる挿入位置をとるとき、スライド移動前の初期位置に向かう方向に付勢されている。具体的には、スライダ８は、図９に良く表れているように、側板８３の平坦面８３ａから突出した糸保持部８３１を有しており、この糸保持部８３１には、図８および図１０（ａ）に良く表れているように、糸状体８４の一端が接続されている。一方、糸状体８４の他端は、図１０（ａ）ないし図１０（ｃ）に良く表れているように、ケース１の側壁１ｂ内に収容され（図８参照）かつＡＢ方向に伸縮するばね８５に接続されている。スライダ８が上記挿入位置をとるとき、ばね８５が伸長させられて弾性力が生じ、この弾性力が糸状体８４を介して伝達されることにより、スライダ８が上記初期位置に向かう方向に付勢される。
【００６５】
スライダ８は、上記初期位置と上記挿入位置との間の中間位置をとるときには操作用部材５と連結されている一方、上記挿入位置をとるときには操作用部材５との間の連結状態が解除される構造とされている。このような構造は、スライダ８の側板８３、操作用部材５の操作バー５１、およびケース１の側壁１ｂにそれぞれ設けられた突起８３２、凸部５１２、およびカム状部１２により構成されている。
【００６６】
突起８３２は、図９に良く表れているように、側板８３の平坦面８３ａからＣＤ方向に突出するように形成されている。この突起８３２は、Ｂ方向を向く垂直面８３２ａと、側板８３の平坦面８３ａに垂直でありかつＡＢ方向に対して傾斜した傾斜面８３２ｂとを有している。傾斜面８３２ｂは、矢印Ａ方向から近接してくる凸部５１２に当接して、この凸部５１２を下方に押し下げうるように構成されている。
【００６７】
凸部５１２は、図７に良く表れているように、操作バー５１の上面から上方に突出するように形成されており、当接面５１２ａを有している。また、操作バー５の端部には切り欠き５１３が設けられており、これにより、凸部５１２が弾性的に上下動できるようになっている。凸部５１２は、図９に示すように、自然状態にあるときには当接面５１２ａが突起８３２の垂直面８３２ａと当接しうる一方、図１０（ｂ）に良く表れているように、下方に移動した際には突起８３２とは当接しないようになっている。また、凸部５１２は、突起８３２よりもＣＤ方向において幅広に形成されている。
【００６８】
カム状部１２は、ケース１の側壁１ｂにおけるガイド溝１３内において、図７に良く表れているように、凸部５１２に当接しうるように形成されている。カム状部１２には、傾斜面１２ａが形成されており、操作バー５１がガイド溝１３内を移動して凸部５１２がカム状部１２に当接した際に、凸部５１２を下方に移動させるようになっている。このカム状部１２の傾斜面１２ａは、スライダ８が上記挿入位置をとるとき、凸部５２１が当接する位置に配置されている。
【００６９】
このようなスライダ８は、上記初期位置をとるとき、図１０（ａ）に良く表れているように、突起８３２の垂直面８３２ａが操作バー５１における凸部５１２の当接面５１２ａと当接するように配置されている。したがって、操作バー５１がＡ方向に移動させられた際には、スライダ８は操作バー５１とともに移動することができる。すなわち、スライダ８は、上記中間位置をとるとき操作用部材５と連結された状態にある。この状態から操作バー５１がＡ方向にさらに移動させられて、スライダ８が挿入位置までくると、図１０（ｂ）に良く表れているように、凸部５１２がカム状部１２によって下方に押し下げられる。したがって、スライダ８の突起８３２と、操作バー５１の凸部５１２とが当接不能になり、これにより、図１０（ｃ）に良く表れているように、操作バー５１が矢印Ａ方向にさらに移動させられても、スライダ８は操作バー５１との連結状態が解除された状態となり、ばね８５に付勢されて上記初期位置に戻される。
【００７０】
図２によく表れているように、一対の遮光シート９は、感光フィルム３のＡＢ方向における排出経路を挟むように配置されている。これらの遮光シート９は、たとえば遮光性を有するゴム製である。感光フィルム３が排出される際には、感光フィルム３が一対の遮光シート９の間を貫くように排出されるとともに、一対の遮光シート９が感光フィルム３に馴染むようにして当接することにより、積層された複数の感光フィルム３の感光層３２が外部からの光により不当に露光されることを防止することができる。
【００７１】
図１１は、感光フィルムモジュールＭのシステム構成を示している。システムコントローラ１０１は、感光フィルムモジュールＭによる画像の印刷、および画像データの入出力などの制御を行うためのものである。ＥＰＲＯＭ１０２ａは、システムコントローラ１０１による一連の制御手順を記憶させておくための記憶手段である。フラッシュメモリ１０２ｂは、この感光フィルム３に印刷すべき画像の電子データを記憶させておくためのものである。このフラッシュメモリ１０２ｂは、少なくとも画像１枚分に相当する電子データを記憶可能な記憶容量を備えている。
【００７２】
外部入出力端子１０４ａは、画像の電子データを外部から入力し、またはフラッシュメモリ１０２ｂに記憶された電子データを外部へと出力するためのものである。この外部入出力端子１０４ａとしては、たとえばＵＳＢ通信プロトコルにしたがって画像データを送受信可能とするＵＳＢ端子を用いても良い。ＵＳＢ端子が用いられた場合には、このＵＳＢ端子を経由して、プリントヘッド２を駆動するための電力を供給することができる。ＵＳＢ端子に限定されず、有線通信プロトコルにしたがって通信可能な有線通信端子を用いても良い。また、外部入出力端子１０４ａに代えて、無線通信モジュール１０４ｂを用いてもよい。無線通信モジュール１０４ｂとしては、たとえばＩｒＤＡ規格に準拠した赤外線双方向通信モジュールや、IEEE 802.11a/b/gなどの規格に準拠した電波による無線通信モジュールを用いることができる。
【００７３】
駆動ＩＣ２８は、ロータリエンコーダ７６により検出される感光フィルム３の位置情報に基づいて、プリントヘッド２を発光させるためのものである。システムコントローラ１０１から駆動ＩＣ２８への画像データの送信については、主走査方向における１列分のデータを記憶可能なラインメモリ１０５を介して行う構成としても良い。
【００７４】
駆動ＩＣ２８のほか、システムコントローラ１０１、ＥＰＲＯＭ１０２ａ、フラッシュメモリ１０２ｂなどは、プリントヘッド２の基板２１に実装しても良い。また、これらの電子部品の機能が集積された１つのＩＣを備える構成としても良い。
【００７５】
なお、本実施形態とは異なり、１対のプラテンローラ７ａ，７ｂおよびスライダ８を手動で動作させることに代えて、モータなど周知の電動駆動手段により動作させる構成としても良い。この場合には、システムコントローラ１０１からの指令に基づいて、モータドライバ１０７ａにより排出モータ１０７ｂが回転させられることによって、感光フィルム３の排出が行われる。
【００７６】
図２および図３に良く表れているように、電源１０８は、プリントヘッド２およびシステムコントローラ１０１などに電力を供給するためのものである。電源１０８としては、複数の感光フィルム３の全てを印刷するのに十分な電気量を備えた一次電池を用いることができる。また、一次電池に代えて、二次電池を用いても良い。この場合は、操作バー５１を介して利用者の操作力を利用して発電可能な発電手段を組み合わせることにより、一次電池に比べて少ない容量の電池とすることが可能であり、小型化を図ることができる。また、上記二次電池の出力側にコンデンサを備えることにより、プリントヘッド２への電源供給を安定化させることもできる。
【００７７】
次に、感光フィルムモジュールＭの作用を説明する。
【００７８】
まず、図１１に示したように、感光フィルムモジュールＭにより印刷すべき画像データを、外部入出力端子１０４ａを介して、フラッシュメモリ１０２ｂに記憶させておく。
【００７９】
図１および図３で示したように、感光フィルムモジュールＭの利用者が把持部５２を把持してＡ方向に引くことにより、操作用部材５がＡ方向に移動されると、上述したようにスライダ８が感光フィルム３に当接し、感光フィルム３のＡ方向への排出が開始される。
【００８０】
この際、図７で示したように、感光フィルム３の排出が開始するとともに、一対のプラテンローラ７ａ，７ｂも回転させられ、この回転がロータリエンコーダ７６により検出される。このロータリエンコーダ７６からの信号に対応する感光フィルム３の位置が、システムコントローラ１０１により算出される。そして、図５で示したように、感光フィルム３の感光層３２のうち画像が印刷されるべき領域がプリントヘッド２の複数の有機ＥＬ発光素子２２の下方に到達すると、プリントヘッド２による露光が開始される。
【００８１】
図５および図６に良く表れているように、プリントヘッド２の複数の有機ＥＬ発光素子２２では、駆動ＩＣ２８に印字データ、クロックパルスあるいは電力などが供給される。駆動ＩＣ２８では、印字データに応じて、個々の発光素子２２（アノード２５）に電力を供給するか否かが選択される。一方、Ｒ用カソード２３Ｒ、Ｇ用カソード２３Ｇ、Ｂ用カソード２３Ｂには、図外の駆動ＩＣにより、これらのカソード２３Ｒ，２３Ｇ，２３Ｂのうちから電力供給すべきカソード２３Ｒ，２３Ｇ，２３Ｂが順次選択される。つまり、複数の赤色光発光部２２Ｒ、緑色光発光部２２Ｇおよび青色光発光部２２Ｂについて、それらが順次発光可能な状態が選択され、駆動ＩＣ２８により選択された発光部２２Ｒ，２２Ｇ，２２Ｂのみに電力が供給される。電力が供給された発光部２２Ｒ，２２Ｇ，２２Ｂでは、有機層２４Ｒ，２４Ｇ，２４Ｂの発光物質に応じた色の光を発する。
【００８２】
有機層２４Ｒ，２４Ｇ，２４Ｂからの光は、透明電極とされたアノード２５および透明な樹脂により形成された保護膜２６を透過して感光フィルム３に向けて出射される。上述したように、プリントヘッド２は、ばね２７により感光フィルム３に当接させられているために、プリントヘッド２の保護膜２６から発せられた光は、感光フィルム３の透明カバー３３を通して感光層３２へと照射される。このような主走査方向におけるラインごとの露光は、ロータリエンコーダ７６の出力信号を利用して、上記利用者による操作用部材５の引き抜きより排出される感光フィルム３の位置に同期させながら順次行われる。
【００８３】
一方、感光フィルム３の現像処理は、上述したプリントヘッド２による露光と並行して行われる。図１２は、感光フィルム３の搬送および現像処理を示している。図１２（ａ）に示された初期状態から、上述したように操作用部材５がＡ方向に移動されると、図１２（ｂ）に示すように、感光フィルム３のＡ方向側端部が一対のプラテンローラ７ａ，７ｂの間へと挿入される。感光フィルム３のＡ方向側端部が一対のプラテンローラ７ａ，７ｂの間に挿入されると、一対のプラテンローラ７ａ，７ｂは操作バー５１に連動して回転させられているために、感光フィルム３はこれらのプラテンローラ７ａ，７ｂに狭圧されつつ、Ａ方向へと搬送される。この際、プラテンローラ７ａ，７ｂによる狭圧力により、感光フィルム３の現像処理液パック３４が破裂させられる。現像処理液パック３４が破裂すると、この内部に封入された現像処理液３４ａがＢ方向へと押し広げられる。感光フィルム３が搬送されると、図１２（ｃ）に示すように、現像処理液３４ａが、感光層３２と透明カバー３３との間においてＢ方向に向けてさらに押し広げられる。しかしながら、感光フィルム３は、ばね６によりＥ方向へと付勢されており、ローラ４ａに圧接されているために、現像処理液３４ａは、このローラ４ａよりもＢ方向へは拡散しない。したがって、現像処理液３４ａは、感光フィルム３がＡ方向へと搬出される間も、一対のプラテンローラ７ａ，７ｂとローラ４ａとの間の領域に滞留させられることとなる。露光された感光層３２が、この現像処理液３４ａが滞留された領域を通過させられることにより、現像処理液３４ａに浸されて現像処理が行われる。このように、感光フィルム３がＡ方向に搬送されることにより、感光層３２について、プリントヘッド２による露光、および現像処理液３４ａによる現像処理のそれぞれが並行して、かつ連続的になされることとなる。
【００８４】
感光フィルム３がプラテンローラ７ａ，７ｂを完全に通過すると、現像処理液３４ａは、感光層３２の全体に行き渡り、これにより感光層３２の現像処理が終了する。現像処理が終了した感光フィルム３は、プラテンローラ７ａ，７ｂに搬送されることにより、図１に示したように感光フィルムモジュールＭの外部に排出される。また、現像処理を施してから一定時間経過すれば、画像データひいては露光状態に応じた画像が感光フィルム３上に形成される。
【００８５】
上述したように、本実施形態によれば、デジタルカメラや撮像機能付き携帯電話機などの携帯性に優れた電子撮像機器により撮像された画像を、この感光フィルムモジュールＭを用意することのみにより、印刷することができる。従来技術のように交換式の感光フィルムモジュールを収容するプリンタによる印刷においては、たとえば外出先などで印刷する場合、利用者が少なくともプリンタ本体を携行し、必要に応じて感光フィルムモジュールを購入する必要がある。従来技術によるプリンタは、上記携帯性に優れた電子撮像機器と比べて大型で重く、利用者が頻繁に携行するには不便である。これに対して、本実施形態によれば、利用者は、プリンタ本体を携行する必要はなく、たとえば外出先などにおいて電子撮像機器の画像を印刷したいときに、最寄りの販売店で感光性フィルムモジュールＭを購入すれば、デジタルカメラまたは撮像機能付き携帯電話機などから画像データを転送し、その印刷を行うことができる。つまり、この感光フィルムモジュールＭは、いわゆる使い捨てと称される態様で使用されることが可能である。したがって、利用者が画像を印刷するための場所、時間などの制約を小さくし、利用者がたとえば外出先などで手軽に画像を印刷する機会を提供することができる。
【００８６】
プリントヘッド２は、感光性フィルム３に当接させて露光を行う構成とされている。このことにより、有機ＥＬ発光素子２２から発せられた光を感光フィルム３の感光層３２に結像させるための、たとえばレンズアレイなど、プリントヘッド２を大型化させる部品を搭載する必要が無い。したがって、プリントヘッド２の薄型化および小型化が可能である。さらに、感光フィルム３の露光および現像を感光フィルム３の搬出過程において並行して行なう構成とされており、プリントヘッド２は副走査方向において固定されている。したがって、従来技術のように、プリントヘッド２を副走査方向に走査させるための駆動手段や、そのための電源供給手段が不要である。これらにより、感光フィルムモジュールＭの小型化および軽量化を図ることが可能であり、利用者が携行するのに適したものとすることができる。なお、距離ｄを有機ＥＬ発光素子２２Ｒ，２２Ｇ，２２Ｂどうしの中心間距離ｐと等しくすることにより、これらの有機ＥＬ発光素子２２Ｒ，２２Ｇ，２２Ｂから発せられた光が感光層３２に到達するまでに不当に拡散することを抑制可能であり、露光された画像を鮮明なものとするのに適している。
【００８７】
なお、感光フィルムモジュールＭに収納される感光フィルム３の枚数を、一般的な感光フィルムモジュールの感光フィルムの枚数と同様に数十枚程度とすれば、保護膜２６をそれほど厚くすることなく、有機ＥＬ発光素子２２を保護することが可能である。したがって、有機ＥＬ発光素子２２と感光層３２との距離を小さくして、有機ＥＬ発光素子２２からの光が拡散することを抑制することが可能であり、鮮明な画像を印刷するのに好適である。
【００８８】
有機ＥＬ発光素子２２を傾斜面２１ａに搭載しつつ、この有機ＥＬ発光素子２２から離間した位置に駆動ＩＣ２８を搭載することにより、有機ＥＬ発光素子２２を適切に感光フィルム３に当接させる一方、駆動ＩＣ２８が感光フィルム３と干渉することを防止することができる。また、ばね２７により、プリントヘッド２のうち有機ＥＬ発光素子２２が搭載された部分を感光フィルム３へと付勢することにより、感光フィルム３が排出される際にも、プリントヘッド２を感光フィルム３に適切に当接させることができる。
【００８９】
感光フィルムモジュールＭでは、一対のプラテンローラ７ａ，７ｂを回転させることにより、感光フィルム３をケース１の外部に排出しつつ感光フィルム３を露出および現像する構成とされているので、プラテンローラ７ａ，７ｂを回転させるために比較的大きなトルクが必要とされる。しかしながら、一対のプラテンローラ７ａ，７ｂの回転動作を手動によって行うことができるので、従来技術とは異なり、プリントヘッド２を移動させるたとえばモータを利用して一対のプラテンローラ７ａ，７ｂを回転させる必要はない。しかも、操作用部材５の操作は、操作バー５１がケース１内から引き出されるようにして操作用部材５を操作するという直線的なものであるため、これを容易とすることができるとともに、比較的小さな操作力で、一対のプラテンローラ７ａ，７ｂに大きなトルクを与えることができる。
【００９０】
また、スライダ８により、感光フィルム３を一対のプラテンローラ７ａ，７ｂに挿入する動作と、一対のプラテンローラ７ａ，７ｂによる排出動作とを、操作用部材５を引き抜くという一つの動作で行なうことができる。したがって、これらの一連の動作を極めて容易なものとすることができる。しかも、スライダ８は、感光フィルム３の端部を一対のプラテンローラ７ａ，７ｂ間に挿入させたあと、初期位置に自動復帰するように構成されているので、操作用部材５の操作は、極めて容易となる。
【００９１】
図１３〜図１７は、本発明の他の実施形態を示している。なお、これらの図において、上記実施形態と同一または類似の要素には、上記実施形態と同一の符号を付している。
【００９２】
図１３に示されたプリントヘッド２Ａは、感光フィルム３との間に間隔を隔てた状態で露光する構成とされている点が、上述した実施形態と異なる。本実施形態においては、保護層２６および透明カバー３３が比較的薄くされていることにより、このプリントヘッド２Ａと感光フィルム３とを離間させた状態で、距離ｄと中心間距離ｐとが等しくなる構成とされている。このような実施形態によれば、感光フィルム３が排出される際にも、プリントヘッド２Ａが摩擦力を受けることが無く、たとえば有機ＥＬ発光素子２２の保護をより確実化することができる。なお、距離ｄを中心間距離ｐよりも小さくすれば、各有機ＥＬ発光素子２２から発せられた光が、感光層３２に至るまでの間に拡散することをさらに抑制することが可能であり、鮮明な画像を露光するのに有利である。
【００９３】
図１４に示されたプリントヘッド２Ｂは、基板２１の下面に主走査方向に延びる凸部２１ａが形成されており、複数の有機ＥＬ素子２２がこの凸部２１ｂに配置されている点が、上述した実施形態と異なる。本実施形態によっても、プリントヘッド２Ｂのうち複数の有機ＥＬ発光素子２２が形成された部分を感光フィルム３に適切に当接させることができる。また、凸部２１ｂを、たとえば駆動素子２３など基板２１に実装される電子部品よりも高くなるように形成すれば、これらの電子部品が感光フィルム３と干渉することを回避することができる。
【００９４】
図１５に示されたプリントヘッド２Ｃにおいては、複数の有機ＥＬ発光素子２２が、基板２１のうち感光フィルム３と対向する面と反対の面に配置されている点が上述した実施形態と異なる。この基板２１は、透明基板であり、その上面において主走査方向に延びる凹部２１ｃと、その下面において凹部２１ｃに対応する位置に形成された主走査方向に延びる凸部２１ｄとが形成されている。複数の有機ＥＬ発光素子２２は、凹部２１ｃ内の底面に配置されている。このプリントヘッド２Ｃは、凸部２１ｄにおいて感光フィルム３と当接させられている。このような実施形態によっても、複数の有機ＥＬ発光素子２２からの光をさほど拡散させることなく、感光層３２に照射することができる。基板２１のうち凹部２１ｃおよび凸部２１ｄが形成された部分の厚さを薄くすれば、有機ＥＬ発光素子２２からの光の拡散を防止するのに好適である。また、傾斜部２１ｅを薄く仕上げれば、この傾斜部２１ｅが弾性変形しやすいものとなり、感光フィルム３が排出される際にも、凸部２１ｄを感光フィルム３に当接させやすくなるとともに、感光フィルム３から有機ＥＬ発光素子２２に不当に大きな力が作用されることを防止することができる。
【００９５】
図１６に示されたプリントヘッド２Ｄにおいては、基板２１の下面に複数のレンズ２１ｆが形成されている。各レンズ２１ｆは、基板２１の上面に配置された複数の有機ＥＬ発光素子２２のそれぞれに対応する位置に形成されている。このような実施形態によれば、有機ＥＬ発光素子２２からの光をレンズ２１ｆにより集光して感光層３２に結像させることができる。したがって、たとえば基板２１の厚みを大きくして基板２１の強度を高めつつ、鮮明な画像を印刷することができる。
【００９６】
図１７に示されたプリントヘッド２Ｆにおいては、レンズ２１ｆと感光フィルム３とが離間して配置されている。このような実施形態によっても、プリントヘッド２を感光フィルム３に当接させない状態で、レンズ２１ｆを通して有機ＥＬ発光素子２２からの光を感光層３２に適切に結像させることができる。レンズ２１ｆによれば、プリントヘッド２Ｄと感光フィルム３との距離が比較的大きい場合であっても、有機ＥＬ発光素子２２からの光を感光層３２に適切に結像させることができる。
【００９７】
本発明に係る感光性記録媒体モジュールは、上述した実施形態に限定されるものではない。
【００９８】
感光性記録媒体としては、感光フィルムに代えて、ジアゾフィルム、微細な感光性の発色カプセルを含む層が形成された感光シートなどを用いても良い。
【００９９】
感光フィルムの排出は、操作バーを引き抜くことに代えて、たとえばプラテンローラに操作力を伝達可能とされたダイヤルを備える構成としても良い。
【０１００】
発光素子としては、有機ＥＬ発光素子に限定されず、無機ＥＬ発光素子などの薄膜発光素子を用いても良い。
【図面の簡単な説明】
【０１０１】
【図１】本発明に係る感光フィルムモジュールの一例を説明する全体斜視図である。
【図２】図１のＩＩ−ＩＩ線に沿う断面図である。
【図３】図２のＩＩＩ−ＩＩＩ線に沿う断面図である。
【図４】本発明に係る感光フィルムモジュールの一例に収納される感光フィルムの断面図である。
【図５】本発明に係る感光フィルムモジュールの一例に用いられるプリントヘッドの要部断面図である。
【図６】本発明に係る感光フィルムモジュールの一例に用いられるプリントヘッドの要部斜視図である。
【図７】本発明に係る感光フィルムモジュールの一例に用いられる操作用部材の要部断面図である。
【図８】図３のＶＩＩＩ−ＶＩＩＩ線に沿う要部断面図である。
【図９】本発明に係る感光フィルムモジュールの一例に用いられるスライダの要部斜視図である。
【図１０】（ａ）（ｂ）（ｃ）は、本発明に係る感光フィルムモジュールの一例による感光フィルムの排出動作を説明するための要部側面図である。
【図１１】本発明に係る感光フィルムモジュールの一例のシステム構成図である。
【図１２】（ａ）（ｂ）（ｃ）は、本発明に係る感光フィルムモジュールの一例による現像処理を説明するための要部断面図である。
【図１３】本発明に係る感光フィルムモジュールの他の例に用いられるプリントヘッドの要部断面図である。
【図１４】本発明に係る感光フィルムモジュールの他の例に用いられるプリントヘッドの要部断面図である。
【図１５】本発明に係る感光フィルムモジュールの他の例に用いられるプリントヘッドの要部断面図である。
【図１６】本発明に係る感光フィルムモジュールの他の例に用いられるプリントヘッドの要部断面図である。
【図１７】本発明に係る感光フィルムモジュールの他の例に用いられるプリントヘッドの要部断面図である。
【図１８】従来の感光式プリンタの一例の全体斜視図である。
【図１９】従来の感光式プリンタの一例の要部断面斜視図である。
【符号の説明】
【０１０２】
Ｍ              感光フィルムモジュール（感光性記録媒体モジュール）
ｄ              プリントヘッドと感光層との距離
ｐ              複数の有機ＥＬ発光素子のうち隣り合うものどうしの中心間距離
１              ケース
２，２Ａ，２Ｂ，２Ｃ，２Ｄ，２Ｆ  プリントヘッド
３              感光フィルム
４ａ            ローラ（圧接部材）
４ｂ            ローラ
５              操作用部材
６              板ばね（感光性記録媒体の付勢手段）
７ａ，７ｂ      一対のプラテンローラ（一対の排出ローラ）
８              スライダ（可動部材）
９              遮光シート（遮光手段）
２１            基板
２１ａ          斜面
２１ｂ          凸部
２１ｃ          凹部
２１ｄ          凸部
２１ｆ          レンズ
２２            有機ＥＬ発光素子（発光素子）
２３            駆動ＩＣ
２７            ばね（プリントヘッドの付勢手段）
５１            操作バー
５２            把持部
７６            ロータリエンコーダ
８５            ばね（排出ローラの付勢手段）
１０４ａ        外部入出力端子
１０８          電源
【図１】
2005324432.tif 000003
【図２】
2005324432.tif 000004
【図３】
2005324432.tif 000005
【図４】
2005324432.tif 000006
【図５】
2005324432.tif 000007
【図６】
2005324432.tif 000008
【図７】
2005324432.tif 000009
【図８】
2005324432.tif 000010
【図９】
2005324432.tif 000011
【図１０】
2005324432.tif 000012
【図１１】
2005324432.tif 000013
【図１２】
2005324432.tif 000014
【図１３】
2005324432.tif 000015
【図１４】
2005324432.tif 000016
【図１５】
2005324432.tif 000017
【図１６】
2005324432.tif 000018
【図１７】
2005324432.tif 000019
【図１８】
2005324432.tif 000020
【図１９】
2005324432.tif 000021